(57)【要約】【課題】パチンコ遊技機で不正行為が行われた場合に受皿に貯留した遊技球を短期間で排出して不正行為者に持ち去られないようにする。【解決手段】遊技球を貯留する受皿５の底部１３には、開閉自在に開閉底板２０が設けられている。不正行為により生じる事象を検知する各センサから不正行為を示す信号が主制御装置に入力すると開閉底板制御装置を介して底板開閉ソレノイド２１が作動し、開閉底板２０が回転移動し、底部１３を閉塞する位置から下方に移動するとともに斜めとなる。斜めとなった開閉底板２０上の遊技球が底部１３の下方の球受排出部３０内に短期間に流下する。また、開閉底板２０の周囲の底部１３上の遊技球も開閉底板２０の開放された部分から球受排出部３０内に流下する。したがって不正行為者は、遊技球を回収することなく遊技機から立ち去り、同じ店内の他の遊技機で再び不正行為を行う可能性が低い。【選択図】図４
2009055959.tif 000002
【特許請求の範囲】
【請求項１】
遊技盤と、
遊技球を遊技盤に発射する遊技球発射手段と、
遊技球発射手段に供給可能に遊技球を貯留し、かつ、遊技者による遊技球の補充および回収が可能とされる受皿と、
不正行為に基づいて発生する事象を検知する不正検知手段とを備えた遊技機において、
遊技者による遊技球の回収が不可能となるように遊技球を貯留する遊技球タンクと、
前記受皿に貯留された遊技球を遊技球タンクに排出させる排出手段と、
前記不正検知手段が不正行為に基く事象を検知した場合に、前記排出手段を制御して、受皿に貯留された遊技球を遊技球タンクに排出させる排出制御手段とを備えたことを特徴とする遊技機。
【請求項２】
前記排出手段は、前記受皿の底部を構成するとともに、開閉可能な開閉底板と、
当該開閉底板を閉じて受皿の底部を閉塞した状態から当該開閉底板を開放方向に移動して受皿の底部を開放した状態とする底板駆動手段と、
前記受皿の底部の下側に設けられ、前記開閉底板を移動して受皿の底部を開放した際に受皿から下方に落下する遊技球を受けるとともに遊技球タンクに向けて流下させる球受排出部とを備えていることを特徴とする請求項１に記載の遊技機。
【発明の詳細な説明】
【技術分野】
【０００１】
本発明は、パチンコ店などの遊技場に設置して使用される遊技機に関するものである。
【背景技術】
【０００２】
パチンコ遊技機に対しては、いわゆるゴトと呼ばれる不正行為が行われる可能性がある。例えば、不正行為としては、ワイヤやピアノ線やセルといった長尺で細い部材もしくは薄い部材をパチンコ遊技機の中に差し入れて、電チューや、アタッカー等の役物（入賞装置）を開放状態となるように操作することで、遊技球の入賞を容易にして、大量の遊技球を賞球として払い出させてしまう方法がある。
【０００３】
また、不正行為には、上述のワイヤ等の部材や磁石等により、遊技球を入賞口に誘導して入賞させてしまうことにより、大量の遊技球を賞球として払い出させる方法や、強度の高い電波のノイズを発生させることによりパチンコ遊技機の制御装置を誤作動させて、大当たりを発生させて大量の賞球を発生させる方法や、ガラス枠を開放して上述の役物や遊技球を不正に操作することにより賞球を発生させる方法がある。
【０００４】
それに対して、遊技機には、不正行為に基いて発生する事象を検知することで、不正行為を検知する各種検知センサが設けられている。
例えば、不正行為を検知するセンサとしては、上述の電波を検知する電波センサ、磁石の磁力を検知する磁力センサなどが知られている。また、不正行為としてパチンコ遊技機全体を動かしたり振動させたりした際の振動を検知する振動センサも知られている。
【０００５】
さらに、不正行為を検知するセンサとしては、ワイヤ等の部材により、本来開放状態にないはずの電チュー、アタッカー等の役物が不正に開放した際にこの不正な役物の開放を検知する不正開放センサや、ガラス枠の開放を検知するガラス枠開放センサも知られている。
また、大当たり状態でもないのに大量の遊技球が払い出される場合、すなわち、賞球数が多すぎることを検知したり、主制御装置から遊技球払出制御装置への賞球信号の積算値が示す賞球の払出し数に対して、実際に遊技球払出装置によって払い出された遊技球のカウント値が多くなっていることを検知する過剰賞球検知センサも知られている。
【０００６】
このような不正検知手段による検知があった場合には、島設備に設けられた通信設備を介して遊技店の管理室で不正行為の発生の可能性が報知されるとともに、パチンコ遊技機に設けられたランプやＬＥＤの点灯や点滅、島設備に設けられたランプやＬＥＤの点灯や点滅等により、不正行為の発生の可能性が報知される。
【０００７】
以上のような不正行為の発生の可能性を示す報知に基いて、遊技店の係員が不正行為が行われた可能性のあるパチンコ遊技機に向うことになる。実際に不正行為が行われていた場合には、上述のランプ等の異常な点灯や点滅に、不正行為を行っている遊技者が気づいて逃げたり、係員に捕まることになり、不正行為が防止される。
【０００８】
また、センサの誤作動等で実際には、不正行為が行われていない場合には、係員により、パチンコ遊技機において不正を検知するセンサや制御装置のリセット等が行われることになる。
また、上述のように不正行為に基いて発生する事象を含むエラーが発生した場合に、遊技球を発射する球発射モータの操作を禁止し、遊技球を発射できなくすることで、実質的に不正行為を阻止する遊技機も知られている（例えば、特許文献１参照）。
【０００９】
【特許文献１】特開２００１−２３１９３０号公報
【発明の開示】
【発明が解決しようとする課題】
【００１０】
ところで、不正行為を行う遊技者は、上述のような各種の不正を検知するセンサに検知されてしまった場合には、逃げる以外になく、捕まる危険を冒してまで遊技を続行する可能性は低いと思われる。
【００１１】
この場合に、センサに検知されてしまったことから、未だ不正行為に基いて取得した遊技球が少ない可能性が高いが、不正行為に失敗した遊技機から離れる際に、パチンコ遊技機の受皿上の遊技球を排出して持ち出し、この持ち出した遊技球を用いて同じ遊技店内の別の遊技機で、再び不正行為を試みる可能性がある。
このような行為を防止する上では、単に遊技球の発射を停止するだけでは不十分である。
【００１２】
また、遊技店側としては、不正行為を行うような遊技者が遊技店を退去してくれることが一番であり、上述のように遊技店内で複数のパチンコ遊技機に不正を試みることで、捕まる危険を冒すような遊技者は、捕まる可能性が高くなっても、遊技店を退去しないことから遊技店にとっては、最も迷惑な遊技者となる。
【００１３】
本発明は、上記事情に鑑みて為されたもので、不正行為を行う遊技者が不正行為に失敗して遊技機の不正検知手段に検知された場合に、同じ遊技店の別の遊技機に再び不正行為を試みるのをできるだけ防止できる遊技機を提供することを目的とする。
【課題を解決するための手段】
【００１４】
請求項１に記載の発明は、遊技盤と、
遊技球を遊技盤に発射する遊技球発射手段と、
遊技球発射手段に供給可能に遊技球を貯留し、かつ、遊技者による遊技球の補充および回収が可能とされる受皿と、
不正行為に基づいて発生する事象を検知する不正検知手段とを備えた遊技機において、
遊技者による遊技球の回収が不可能となるように遊技球を貯留する遊技球タンクと、
前記受皿に貯留された遊技球を遊技球タンクに排出させる排出手段と、
前記不正検知手段が不正行為に基く事象を検知した場合に、前記排出手段を制御して、受皿に貯留された遊技球を遊技球タンクに排出させる排出制御手段とを備えたことを特徴とする。
【００１５】
請求項１に記載の発明においては、不正行為が不正検出手段により検出されると、受皿上の遊技球が、遊技者が遊技球を回収できない遊技球タンクに排出されてしまう。これにより、不正が検知されたことにより不正の対象とされた遊技機を離れる際に、受皿上の遊技球を持ち出すことができなくなり、同じ店舗内で遊技球を持って移動して、他の遊技機で不正行為を行うことができず、再び、遊技球を借りる必要が生じることから、不正行為を行う遊技者に、同じ店舗で不正行為を再び試みることを躊躇させることができる。
【００１６】
また、少なくとも不正行為が行われた遊技機の受皿上の遊技球が他の遊技機の不正行為に使い回されるのを防止することができる。
なお、不正行為に対する上述の遊技機や島設備におけるランプやＬＥＤの点灯や点滅による報知が従来と同様に行われることが好ましい。
【００１７】
請求項２に記載の発明は、請求項１に記載の遊技機において、
前記排出手段は、前記受皿の底部を構成するとともに、開閉可能な開閉底板と、
当該開閉底板を閉じて受皿の底部を閉塞した状態から当該開閉底板を開放方向に移動して受皿の底部を開放した状態とする底板駆動手段と、
前記受皿の底部の下側に設けられ、前記開閉底板を移動して受皿の底部を開放した際に受皿から下方に落下する遊技球を受けるとともに遊技球タンクに向けて流下させる球受排出部とを備えていることを特徴とする。
【００１８】
請求項２に記載の発明においては、受皿の底部が開放して、遊技球が受皿の下側の球受排出部に落下した後に遊技球タンクに流下させるようになっているので、例えば、受皿上の遊技球を略一瞬で下方に落下させることも可能である。
この場合に、このような遊技機に対して初めて不正行為を行った遊技者に、受皿の遊技球が全て落下して一瞬で消えてしまうことで強い印象を与え、遊技店から退去する動機を与えることができる。
【００１９】
また、遊技球を受皿上から一瞬で排出できることから、不正行為を行う遊技者に、遊技球を回収する時間的な余裕を与えることなく、遊技球の回収を確実に阻止することができる。
【発明の効果】
【００２０】
本発明の遊技機によれば、遊技店で遊技機に対して行われた不正行為を不正検知手段が検知した際に、受皿上の遊技球を、遊技者が遊技球を回収できない遊技タンクに排出するので、不正行為を行う遊技者が、不正行為に失敗した遊技機の受皿上の遊技球を他の遊技機の不正行為のために使い回すのを防止することができる。
【発明を実施するための最良の形態】
【００２１】
以下、図面を参照して、遊技機設置営業店等の場所に設置され、遊技媒体（例えば、遊技球やメダル等）の供給に基づいて遊技者に遊技を行わせる遊技機（例えば、弾球遊技機としてのパチンコ遊技機）の構成及び動作について説明する。
【００２２】
図１〜図３に示すパチンコ遊技機は、後述の受皿５に係る構造と、この構造の可動部を制御する構造を除く全体としては例えば、パチンコ遊技機としての一般的な基本構成を有するもので、矩形枠状で島設備に取り付けられる機枠１と、機枠１に扉状に開閉自在に取り付けられ、遊技盤（図示略）が収容される収容部を備えた前面枠（図示略）と、前面枠の前側に扉状に開閉自在に取り付けられたガラス枠２と、前面枠の下部に着脱自在に取り付けれ、ガラス枠２の下側の前面を構成する下部前面パネル３とを備えている。なお、図２には、遊技機背面として、前面枠の裏面に多数取り付けられた各種機器が遊技機の機枠１の内部に図示されている。
【００２３】
ガラス枠２には、遊技盤に発射された遊技球が流下する遊技領域を視認可能とするように開閉自在に透明板（二重ガラス）４が嵌め込まれている。また、前面枠のガラス枠２より下側の下部前面パネル３には、その中央の上部に遊技球を貯留するとともに前記遊技領域に遊技球を発射する発射装置に遊技球を供給する受皿５が備えられ、向かって右端側に回転式の操作ハンドル６が備えられ、向かって左端側に灰皿７が備えられている。
【００２４】
受皿５は、この例において、上下二段すなわち、上皿と下皿とを有する構成ではなく、上下一段の構成となっている。そして、受皿５は、その左端部の奥側（前面側から後方に向かう側）に、遊技機裏面の上端部に設けられた貯留タンク８から図示しない遊技球払出装置を介して遊技に対する賞として払い出される賞球である遊技球を当該受皿５に流入させる流入口（図示略）が設けられている。なお、貯留タンク８には、遊技機が設置される島設備側から遊技球が供給されるようになっている。
また、一般的に遊技機に隣接して設けられて遊技球を貸し出す貸球装置からの信号に基づいて、遊技者が借りた遊技球も、賞球と同様に受皿５の左奥の流入口から流入するようになっている。
【００２５】
また、受皿５は、その右端部の奥側に、下部前面パネル３の後方側に設けられて遊技盤の遊技領域に向けて遊技球を発射する遊技球発射装置（図示略）に遊技球を供給するために流出させる流出口（図示略）が設けられている。したがって、受皿５は、左の流入口から流入した賞球を貯留するとともに、右側の流出口に流動させるようになっている。
【００２６】
また、受皿５に、受皿５の下に配置した球箱等に球を排出するための排出口１１が設けられている。排出口１１は、スライドして開閉する開閉蓋１２が設けられている。なお、この排出口１１の開閉蓋１２は、受皿５の底に形成されるが、底の極一部であり、例えば、受皿５の底面積の１０分の１以下の小さなものとなっており、受皿５の底面積の少なくとも４０％以上を閉める後述の本発明の開閉底板２０とは異なるものとなっている。
【００２７】
また、排出口１１には、当該排出口１１から受皿５の下側で、遊技機の下端部の前方となる部分に設けられる排出口末端部（図示略）に至る通路部（図示略）が連通して設けられ、排出口１１から遊技球を遊技機の下端部の前に置かれた球箱に流出する構成となっている。
【００２８】
以上のようなパチンコ遊技機は、遊技盤（図示略）と、遊技球を遊技盤に発射する遊技球発射装置（遊技球発射手段、図示略）と、遊技球発射装置に供給可能に遊技球を貯留し、かつ、遊技者による遊技球の補充および回収が可能とされる受皿５とを備えている。
そして、この実施形態においては、受皿５の上述の排出口１１の開閉蓋１２を除く底部に、図３に示す開閉底板２０が設けられ、開閉底板２０が受皿５の底部の４０％以上の領域を開閉可能となっている。なお、図３において開閉底板２０は受皿５の図示される底面のハッチングが施された部分である。
【００２９】
また、開閉底板２０の開閉は、例えば、パチンコ遊技機に設けられた主制御装置５０に制御されるようになっている。なお、主制御装置５０は、例えば、遊技球の入賞等を検知するセンサに基いて、賞球の払出しを命じるコマンドを遊技球払出装置を制御する遊技球払出制御装置に出力したり、役物を作動させたり、表示装置で当りおよびはずれの変動標示ゲームを開始させたりする制御を行なうものである。すなわち、遊技球の入賞に対応して賞球を払い出したり、役物を作動させたり、表示装置での表示を行ったり、当りはずれの抽選を行ったりする遊技の制御を行うものである。
【００３０】
開閉底板２０は、図４に模式的に示されるように、底板開閉ソレノイド２１により開閉駆動される。なお、図４は、受皿５の底部１３から下側の部分の断面を模式的に示すもので、受皿５の底部１３より上は図示されていない。
また、底板開閉ソレノイド２１は、遊技機前面の左右方向と平行な方向にそって間隔をあけて２つ以上配置されており、図４に示される開閉底板２０を開閉する構造が２つ以上設けられて、開閉底板２０を開閉可能に支持している。
【００３１】
そして、開閉底板２０を開閉する構造は、開閉底板２０の裏面（下面）に一端を固定され、他端を第１支点２３に回転自在に支持された第１支持片２２と、当該第１支持片２２の他端に一体に接続され前記第１支点２３を中心として第１支持片２２と一体に回転する第２支持片２４とを備えている。第２支持片２４は、その一端が第１支持片２２に屈曲した状態で接続されており、例えば、開閉底板２０が閉じた状態で、第１支持片２２が水平より僅かに傾斜した斜めの状態で、一端から他端に向って下り傾斜しているのに対して、第２支持片２４は、第１支持片２２に接続される一端を上端側としてほぼ鉛直方向に沿って配置されている。なお、第１支点２３における第１支持片２２と第２支持片２４の回転中心の軸方向と、後述の第２支点２７における底板開閉ソレノイド２１の回転中心の軸方向とが互いに平行となっている。また、第１支点２３の上述の回転中心の軸方向周りに沿って開閉底板２０が開閉移動するようになっている。すなわち、第１支点２３が開閉底板２０の回転による開閉移動の回転中心となっている。
【００３２】
そして、第２支持片２４の下側の他端部には、底板開閉ソレノイド２１のプランジャ２５の先端部が回転自在に接続されている。なお、第２支持片２４とプランジャ２５との回転の回転中心軸方向は、第２支持片２４およびプランジャ２５のそれぞれの軸方向に直交する方向で、かつ、プランジャ２５の伸長、収縮（前進、後退）方向に直交する方向である。
また、底板開閉ソレノイド２１は、上述のようにプランジャ２５の先端部が第２支持片２４に接続されるとともに、当該底板開閉ソレノイド２１の後端部が第２支点２７を中心に回転自在に支持されている。
【００３３】
第１支点２３は、第１支持片２２および第２支持片２４を回転自在に支持する構成であり、第２支点２７は、底板開閉ソレノイド２１を回転自在に支持する構成であるが第２支点２７および第１支点２３を構成する部材は、例えば、受皿５を構成する部材や、後述の球受排出部３０を構成する部材から延出する図示しない支持部材により支持される構成となっている。
【００３４】
以上の構成において、底板開閉ソレノイド２１のプランジャ２５が最も後退して収縮した状態で、開閉底板２０は閉じた状態である。そして、この状態で底板開閉ソレノイド２１のプランジャ２５を遊技機の後方側に向かって前進して伸長させると、開閉底板２０は、第１支点２３を中心に第１支持片２２および第２支持片２４と一体に第１支点２３を中心に斜め下方に向って回転移動する。これにより、受皿５の開閉底板２０が配置されていた底部１３の当該開閉底板２０部分に大きな開口部が形成され、開閉底板２０の周囲、すなわち、開口部の周囲の遊技球が開口部に流れ込む状態となるとともに、開閉底板２０上の遊技球の一部が開閉底板２０とともに下方に移動し、かつ、回転移動して開放状態となる開閉底板２０が大きく傾いた状態となることで、開閉底板２０上の遊技球や開閉底板上に流入した遊技球は、全て開閉底板２０より下に流下することになる。
【００３５】
また、受皿５の底部１３の下で、当該受皿５を有する下部前面パネル３の裏面側には、開閉底板２０を開放することにより流下した遊技球を受けて、後述の遊技球タンク３１に遊技球を排出する球受排出部３０が設けられている。
球受排出部３０は、上面が開放され、上述のように開放側に移動した開閉底板２０が内部に入り込むことが可能に、上面が開放した容器状に形成されるとともに、当該球受排出部３０の底部に、受けた遊技球を遊技球タンク３１に流出させる流出通路３２が形成されている。
【００３６】
以上の開閉底板２０、底板開閉ソレノイド２１、第１支持片２２、第１支点２３、第２支持片２４、第２支点２７、球受排出部３０が、本発明の受皿５に貯留された遊技球を遊技球タンク３１に排出させる排出手段となる。
すなわち、排出手段は、受皿５の底部１３を構成するとともに、開閉可能な開閉底板２０と、当該開閉底板２０を閉じて受皿の底部を閉塞した状態から当該開閉底板２０を開放方向に移動して受皿の底部を開放した状態とする底板駆動手段としての底板開閉ソレノイド２１、第１支持片２２、第１支点２３、第２支持片２４、第２支点２７と、受皿５の底部１３の下側に設けられ、開閉底板２０を移動して受皿５の底部を開放した際に受皿５から下方に落下する遊技球を受けるとともに遊技球タンク３１に向けて流下させる球受排出部３０とを備えている。
【００３７】
また、図２に示すように、遊技球タンク３１は、機枠１の下側の枠部分と、当該下側の枠部分より少し上となった部分との間に設けられており、前面枠を機枠１に対して回転させて開放した場合に、機枠１側に残る位置に配置されている。
【００３８】
そこで、上述の球受排出部３０と遊技球タンク３１との間の遊技球が流下可能に接続される流出通路３２は、回転して開閉移動する前枠側（受皿５側）と、島設備に固定された機枠１側（遊技球タンク３１側）とが着脱可能に接続された状態となっている。
なお、遊技球タンク３１を前枠側に取り付け、遊技球タンク３１と受皿５とを一体に移動可能として、流出通路３２を着脱可能な２つの部分に分割しない構成としてもよい。
【００３９】
しかし、遊技球タンク３１は、遊技機の裏面側に配置され、前枠を開放しないと遊技球の回収ができない構造となっていることが好ましい。そして、遊技球タンク３１は、遊技球回収扉３４が設けられ、前枠を開放した状態で、開閉可能な遊技球回収扉３４を開放することで、遊技球タンク３１内に流入した遊技球を球箱等に受けて回収できるようになっている。
したがって、パチンコ遊技機には、遊技者による遊技球の回収が不可能となるように遊技球を貯留する遊技球タンク３１が備えられている。
【００４０】
また、開閉底板２０は、第１支持片２２に対して着脱可能となっているか、第１支持片２２が分割可能で分割部分同士が着脱可能となっており、開閉底板２０を受皿５から完全に取り外すことが可能となっている。これにより、例えば、受皿５上にライタ、タバコ、キー、携帯電話等の物品が置いてある状態で開閉底板２０を開放し、これら物品が球受排出部３０内に落下し、開閉底板２０の下側となってしまった場合に、開閉底板２０を受皿５から完全に取り外した状態として、前記物品を容易に回収可能とすることができる。
【００４１】
そして、底板開閉ソレノイド２１は、図５に示すように、主制御装置５０に開閉底板制御装置５１を介して制御される。開閉底板制御装置５１は、底板開閉ソレノイド２１の駆動回路を含むもので、主制御装置５０から開閉底板２０の開放を示すコマンドが入力した場合に、底板開閉ソレノイド２１を収縮した状態から伸長した状態として、上述のように開閉底板２０を受皿５の底部１３を閉塞した状態から開放した状態とするようになっている。
【００４２】
そして、主制御装置５０には、上述のように遊技球の入賞等を検知するセンサからの信号が入力するが、ここでは、底板開閉ソレノイド２１の制御に関するものだけ説明する。
主制御装置５０には、エラーに関するセンサとして、磁力センサ６１、電波センサ６２、振動センサ６３、前面枠開放センサ６４、ガラス枠開放センサ６５、アタッカ開放センサ６６が接続されている。
【００４３】
磁力センサ６１は、磁石を用いた不正行為を発見するためのセンサであり、磁石の磁力を検知するセンサとなっている。
電波センサ６２は、電波ノイズにより主制御装置５０等を誤作動させる不正行為を検知するもので、電波を検知するセンサとなっている。
【００４４】
振動センサ６３は、遊技機を傾けたり叩いたりすることにより遊技球の流下方向を変更するような不正行為を検知するもので、遊技機の振動を検知するセンサとなっている。
前面枠開放センサ６４は、前面枠が開放されたことを検知するセンサである。
ガラス枠開放センサ６５は、ガラス枠２を開放したことを検知するセンサである。
【００４５】
なお、ガラス枠２を開放すると、遊技盤に形成された各種入賞口や役物に手を触れることが可能となるので、これらに遊技球を入賞させたりする不正が可能になる。
また、前面枠を開放すれば、さらに、遊技盤の裏面側にも手を触れる事が可能となり、各種電子部品に手を加えることが可能となる。
【００４６】
アタッカ開放センサ６６は、例えば、セルやワイヤ等を用いたり、上述のようにガラス枠２を開放したりして、アタッカと呼ばれる大入賞口を有する役物が強制的に開放されたことを検知するものである。
また、上記センサに加えて、遊技球払出装置に設けられた遊技球払出検知センサを加えてもよい。ただし、遊技球払出検知センサは、不正行為による事象を直接検知するものではなく、払い出された遊技球を検知するだけなので、この払い出された遊技球が主制御装置５０からの遊技球払出しのコマンドが示す遊技球数より多くなった場合や、例えば、大当たり状態でもないのに、所定の遊技球数より多く払い出されている場合などに、不正行為が行われていると主制御装置５０が判定することになる。そして、遊技球払出検知センサからの信号に基づいて主制御装置５０が不正行為が行われていると判定した場合に、開閉底板２０を開放するように制御するようになっている。
以上のことから、パチンコ遊技機は、不正行為に基づいて発生する事象を検知する不正検知手段を備えている。
【００４７】
これらのセンサや、これら以外の不正行為に基く事象を検知するセンサが主制御装置５０に信号を送信可能に接続されている。
そして、主制御装置５０には、上述のように開閉底板制御装置５１およびランプ制御装置５２に上述の各種センサから信号が入力された場合に、それぞれ不正行為が発生したことを示すコマンドを出力するようになっている。なお、不正行為が発生したことを示すコマンドとは、開閉底板制御装置５１に対しては、上述のように開閉底板の開放を指示するコマンドであり、ランプ制御装置５２は不正行為を報知する各種ランプおよびＬＥＤの点灯を支持するコマンドである。
【００４８】
したがって、パチンコ遊技機は、不正検知手段（センサ６１〜６６）が不正行為に基く事象を検知した場合に、前記排出手段を制御して、受皿５に貯留された遊技球を遊技球タンク３１に排出させる排出制御手段（主制御装置５０、開閉底板制御装置５１）とを備えている。
なお、ランプ制御装置５２は、例えば、遊技盤面の各種ランプや各種ＬＥＤと、ガラス枠前面の各種ランプや各種ＬＥＤの点灯と消灯を制御するもので、ここでは、各種ランプ、各種ＬＥＤのうちの不正行為を報知するランプおよびＬＥＤを点灯もしくは点滅させるための制御を行なう。
なお、主制御装置から開閉底板制御装置５１およびランプ制御装置５２へのコマンドには、例えば、上述のセンサのうちのどのセンサから検知信号が入力したのかを示す情報が含まれていてもよい。
【００４９】
また、例えば、故障の発生や球詰まりの発生等により係員がガラス枠２を開放したり、前面枠を開放したり、アタッカを開放したりする場合があり、このような場合に、上述のように開閉底板２０が開放したり、不正行為を報知するランプやＬＥＤが点灯すると問題が生じるので、例えば、遊技機には、キャンセル制御装置５４が備えられ、例えば、管理装置に接続されている。そして、例えば、係員が無線通信可能な端末により、管理室の管理者に遊技機を特定可能な台番号等を連絡すると、管理室の管理者が管理装置を操作し、管理装置から開閉底板２０の開放や上述のランプ・ＬＥＤによる報知をキャンセルすることを示す信号が台番号に対応する遊技機に出力され、当該遊技機のキャンセル制御装置５４に前記信号が入力すると、キャンセル制御装置５４から開閉底板制御装置５１およびランプ制御装置５２に底板開閉ソレノイド２１の作動の禁止およびランプ制御装置５２による上述のランプとＬＥＤによる報知を禁止する信号が出力される。
【００５０】
この状態では、主制御装置５０から開閉底板２０の開放を示すコマンドや、ランプとＬＥＤによる報知を示すコマンドが開閉底板制御装置５１およびランプ制御装置５２に入力されても、開閉底板制御装置５１による底板開閉ソレノイド２１による開閉底板２０の開放動作の制御および、ランプ制御装置５２によるランプとＬＥＤによる報知の制御が行なわれない。
【００５１】
なお、上述のように主制御装置５０から開閉底板制御装置５１やランプ制御装置５２に送信されるコマンドにどのセンサからの信号かを示す情報が含まれる場合に、管理装置からキャンセル制御装置５４への信号や、キャンセル制御装置５４から開閉底板制御装置５１やランプ制御装置５２への信号にどのセンサかを示す情報が含まれるものとする。
【００５２】
そして、主制御装置５０のコマンドに含まれるセンサの種類の情報が、キャンセル制御装置５４から入力する信号に含まれるセンサの種類の情報と一致する場合に、上述の開閉底板２０の開放や、ランプとＬＥＤによる報知が禁止され、コマンドに含まれるセンサの情報と、キャンセル制御装置５４の信号に含まれるセンサの情報とが一致しない場合には、開閉底板２０の開放とランプとＬＥＤによる報知との制御を実行するものとしてもよい。
【００５３】
また、ランプ制御装置５２は、島設備のランプを制御する装置に信号を出力し、島設備のランプによる不正行為の報知も行われるようになっていることが好ましい。
また、センサに故障が発生し、誤報（誤作動）が頻繁に生じるような場合（不正行為に基く事象が発生していないにも拘らずセンサから不正行為発生を示す信号が出力されるような場合）にも、キャンセル制御装置５４を介して開閉底板制御装置５１およびランプ制御装置５２に不正行為の発生に基く制御の開始を禁止するようにしてもよい。
【００５４】
なお、センサの誤作動により、開閉底板２０が開放した場合には、大当たり中でないかぎりは、遊技者に遊技球タンクに流入した遊技球を返却することで誤作動の際の遊技者の損害がわからなくなるような事態を防止することができる。しかし、大当たり中の場合に、遊技球を発射できなくなったことによる損害は、別途補償する必要がある。
【００５５】
以上のような構成において、管理装置からキャンセル制御装置５４に信号が出力されていない状態で、主制御装置５０に各センサ６１〜６６から信号が入力されると、主制御装置５０は、開閉底板制御装置５１およびランプ制御装置５２に不正行為に対応することを示すコマンドを出力する。
【００５６】
コマンドが入力されたランプ制御装置５２においては、各種ランプとＬＥＤに制御信号（駆動信号）を出力して各種ランプとＬＥＤに不正行為発生を示す報知のための点灯や点滅を行なわせる。
また、コマンドが入力された開閉底板制御装置５１においては、底板開閉ソレノイドを作動させる制御信号（駆動信号）を出力して底板開閉ソレノイド２１を作動させて開閉底板２０を駆動し、上述のように開閉底板２０を開放する。
【００５７】
すると、受皿５上に貯留された遊技球は、開閉底板２０が開放することにより、極めて短時間に受皿５上から、受皿５の下の球受排出部３０に流下してしまい不正行為を行った遊技者は、遊技を続行できない状態となるとともに、遊技球を受皿５から取ることができない状態となる。
ここで、不正行為を行った遊技者は、遊技店側に不正行為が見つかったことを知り、例えば、逃走することになるが、この段階では、上述の各センサのいずれかが正常に作動した状態であり、不正行為により遊技者が利益を得た状態となっていない可能性が極めて高い。
【００５８】
したがって、遊技店側の実質的損害は僅かなものであり、不正行為を行った遊技者（不正行為者）を捕まえたとしても、損害がないことから、警察に連絡して捕まえた不正行為者を警察に引き渡す可能性はあまり高くなく、事情を聞いた後に退店処分にしたり、以後の入店禁止処分にしたりする程度となる可能性がある。
また、警察を呼んでいない状態で、不正行為者が暴れたような場合に係員では対応できない場合がある。
【００５９】
この場合に、遊技店側としては、不正行為者の対応に人手を取られるよりも、不正行為者が逃走することで自ら退店してくれた方が好ましい。
ここで、例えば、不正行為が発見されてもランプの点灯による報知だけだと、周囲の状況にもよるが、受皿５上の遊技球を回収する可能性があり、この場合に遊技球があることから、他の遊技機に移動して、再び、回収した遊技球を用いて遊技をしたり、不正行為を再び試みたりする可能性があり、不正行為者がすみやかに逃走して退店しない可能性がある。
【００６０】
しかし、本発明によれば、不正行為がセンサに検知されると、遊技球が受皿５からほぼ瞬間的に消えて、遊技が続行不可能となるとともに遊技球を持ち出すことが困難となることから、遊技球を持っていない不正行為者は、すぐに逃走して退店する可能性が高い。これにより、未だ不正に利益を得ていない不正行為者を手間を掛けずに退店させることができ、遊技店側としては、不正行為者への対応の手間のコストも含む損害を最小限度のものとすることができる。
【００６１】
以上、本発明者によってなされた発明を適用した実施の形態について説明したが、この実施の形態による本発明の開示の一部をなす論述及び図面により本発明は限定されることはない。すなわち、この実施の形態に基づいて当業者等によりなされる他の実施の形態、実施例及び運用技術等は全て本発明の範疇に含まれることは勿論であることを付け加えておく。
【図面の簡単な説明】
【００６２】
【図１】本発明の実施の形態に係るパチンコ遊技機を示す正面図および平面図である。
【図２】前記パチンコ遊技機を示す背面側の斜視図である。
【図３】前記パチンコ遊技機を示す平面図である。
【図４】前記パチンコ遊技機の受皿の開閉底板の動作を説明するための模式図である。
【図５】前記パチンコ遊技機の開閉底板の制御を説明するための制御系のブロック図である。
【符号の説明】
【００６３】
５        受皿
１３      底部
２０      開閉底板
２１      底板開閉ソレノイド（底板駆動手段）
２２      第１支持片（底板駆動手段）
２３      第１支点（底板駆動手段）
２４      第２支持片（底板駆動手段）
２５      プランジャ（底板駆動手段）
２７      第２支点（底板駆動手段）
３０      球受排出部
３１      遊技球タンク
５０      主制御装置（排出制御手段）
５１      開閉底板制御装置（排出制御手段）
５４      キャンセル制御装置（排出制御手段）
６１      磁力センサ（不正検出手段）
６２      電波センサ（不正検出手段）
６３      振動センサ（不正検出手段）
６４      前面枠開放センサ（不正検出手段）
６５      ガラス枠開放センサ（不正検出手段）
６６      アタッカ開放センサ（不正検出手段
【図１】
2009055959.tif 000003
【図２】
2009055959.tif 000004
【図３】
2009055959.tif 000005
【図４】
2009055959.tif 000006
【図５】
2009055959.tif 000007